(57)【特許請求の範囲】
【請求項１】
洪水時に谷の上流から流れてくる流木を捕捉するための流木止めにおいて、
前記谷の底部に固定される基台と、前記谷の両側部間に張り渡される捕捉体と、前記捕捉体に固定される浮体とを備え、常時において、前記浮体は、前記浮体が前記捕捉体に取り付けられた状態で前記基台に収容され、一方、洪水時において、前記浮体は、その浮力により前記基台から離れて前記捕捉体と共に流水上に浮き、かくして、前記捕捉体が前記谷の両側部間に張り渡され、もって、洪水時に前記谷に自然に流木止めが設置されることを特徴とする流木止め。
【請求項２】
前記浮体は、有底の中空円筒形状に形成され、前記基台の上面には、前記円筒状浮体を収容するための半円形状凹陥部が形成されていることを特徴とする、請求項１記載の流木止め。
【請求項３】
前記捕捉体は、網状に形成され、前記浮体は、前記捕捉体の最上部に取り付けられ、前記捕捉体は、洪水時において、流水の下流側にたるむ長さを有していることを特徴とする、請求項１または２記載の流木止め。
【請求項４】
前記捕捉体は、ワイヤーまたはチェーンからなっていることを特徴とする、請求項１から３のうちの何れか１つに記載の流木止め。
【発明の詳細な説明】
【０００１】
【発明の属する技術分野】
この発明は、流木止め、特に、洪水時の流木を効果的に捕捉することができ、しかも、自然破壊や景観に与える悪影響を最小限に止めることができ、更に、工費がやすく、また、軽微なメンテナンスで済む流木止めを提供するものである。
【０００２】
【従来の技術】
洪水時に上流から流れてくる流木は、下流側に多大な被害を及ぼす。従って、例えば、図６に示すような不透過型鋼製組枠においては、鋼製組枠の下流側に副ダム（図示せず）を設け、鋼製組枠の水通し部３から流れた流木を副ダムで捕捉していた。なお、鋼製組枠とは、玉石、割石等の中込め材２を充填した鋼製枠１を縦横に連設したものから構成されるものである。
【０００３】
【発明が解決しようとする課題】
しかしながら、副ダムは、鋼製組枠とは別に構築する必要があるので、多大な費用と構築場所を要するばかりか、ダムの構築は、樹木の伐採や山の切り崩し等による自然破壊を招いたり、あるいは、景観を損ねたりする恐れがあった。また、全国には、洪水時の流木の被害が予想される個所は多数あり、これらの個所全てにダムを構築することは不可能に近い。
【０００４】
従って、従来から、洪水時の流木を効果的に捕捉することができ、しかも、自然破壊や景観に与える悪影響を最小限に止めることができ、更に、工費がやすく、また、軽微なメンテナンスで済む流木止めの開発が強く望まれていた。
【０００５】
しかしながら、このような流木止めは、未だ開発されていないのが現状である。
【０００６】
従って、この発明の目的は、洪水時の流木を効果的に捕捉することができ、しかも、自然破壊や景観に与える悪影響を最小限に止めることができ、更に、工費がやすく、また、軽微なメンテナンスで済む流木止めを提供することにある。
【０００７】
【課題を解決するための手段】
請求項１記載の発明は、洪水時に谷の上流から流れてくる流木を捕捉するための流木止めにおいて、前記谷の底部に固定される基台と、前記谷の両側部間に張り渡される捕捉体と、前記捕捉体に固定される浮体とを備え、常時において、前記浮体は、前記浮体が前記捕捉体に取り付けられた状態で前記基台に収容され、一方、洪水時において、前記浮体は、その浮力により前記基台から離れて前記捕捉体と共に流水上に浮き、かくして、前記捕捉体が前記谷の両側部間に張り渡され、もって、洪水時に前記谷に自然に流木止めが設置されることに特徴を有するものである。
【０００８】
請求項２記載の発明は、前記浮体は、有底の中空円筒形状に形成され、前記基台の上面には、前記円筒状浮体を収容するための半円形状凹陥部が形成されていることに特徴を有するものである。
【０００９】
請求項３記載の発明は、前記捕捉体は、網状に形成され、前記浮体は、前記捕捉体の最上部に取り付けられ、前記捕捉体は、洪水時において、流水の下流側にたるむ長さを有していることに特徴を有するものである。
【００１０】
請求項４記載の発明は、前記捕捉体は、ワイヤーまたはチェーンからなっていることに特徴を有するものである。
【００１１】
【発明の実施の形態】
次に、この発明の流木止めの一実施態様を、図面を参照しながら説明する。
【００１２】
図１は、常時における谷に構築した、この発明の流木止めを示す概略平面図、図２は、常時における谷に構築した、この発明の流木止めを示す概略正面図、図３は、洪水時における谷に構築した、この発明の流木止めを示す概略平面図、図４は、洪水時における谷に構築した、この発明の流木止めを示す概略正面図、図５は、基台上に収容された浮体を示す概略斜視図である。
【００１３】
図１から図５において、４は、洪水時に流木の発生が予想される谷５の底部６に固定されたコンクリート製基台である。基台４の上面には、後述する浮体を収容するための半円形状の凹陥部４Ａが形成されている。この例では、基台４および浮体は、それぞれ２個づつ設けられているが、谷５の幅に応じて１個または２以上であっても良い。
【００１４】
７は、谷５の両側部間に張り渡された捕捉体である。捕捉体７の両端は、谷５に施工されたアンカー８に固定されている。捕捉体７は、ワイヤーまたはチェーンを網状に組んだものからなっている。捕捉体７は、洪水時において、流水の下流側にたるむ長さを有し、しかも、流木を捕捉しやすいように、捕捉体７の下部は、流水面下に水没する。
【００１５】
９は、捕捉体の上部に固定された鋼製浮体である。浮体９は、有底の中空円筒形状に形成されている。浮体９の形状は、円筒形に限定されるものではないが、流木の衝突による損傷を最小限に止める意味で円筒形状が好ましい。浮体９の中心軸線部には、捕捉体７の挿通孔９Ａが形成され、挿通孔９Ａ内に捕捉体７の上部が挿通されることによって、捕捉体７に浮体９が取り付けられている。浮体９は、常時、即ち、谷５を流れる流水量が少ないときにおいて、捕捉体７を介して基台４の凹陥部４Ａ内に収容されている。一方、洪水時において、浮体９は、その浮力により基台４から離れて捕捉体７と共に流水上に浮く。
【００１６】
上述のように構成されている、この発明の流木止めは、以下のようにして、洪水時に自然に谷に設置される。
【００１７】
常時においては、図１、図２、図５に示すように、浮体９は、その自重によって基台４の凹陥部４Ａ内に収容されている。一方、洪水時において、流水量が増大すると、図３および図４に示すように、浮体９は、その浮力により基台４から離れて捕捉体７と共に流水上に浮く。かくして、捕捉体７が谷５の両側部間に張り渡され、もって、洪水時に谷５に自然に流木止めが設置される。流木は、網状捕捉体７に捕捉され、下流に流れることはない。
【００１８】
洪水が過ぎた後、捕捉体７から流木を撤去し、浮体９を再び基台４の凹陥部４Ａ内に人為的に収容すれば、流木止めを反復使用することができる。
【００１９】
流木止めの構築に際しては、樹木の伐採や山の切り崩しを行なう必要はほとんどなく、しかも、流木止めの構築後は、捕捉体７と基台４上の浮体９が現われるだけなので、自然破壊や景観を損ねる恐れは極めて少ない。更に、副ダムを構築する場合に比べて工費が格段に安価に済む。
【００２０】
【発明の効果】
以上説明したように、この発明によれば、谷の底部に固定される基台と、谷の両側部間に張り渡される網状捕捉体と、捕捉体に固定される浮体とを備えることによって、常時において、前記浮体は、前記捕捉体に取り付けられた状態で前記基台に収容され、一方、洪水時において、前記浮体は、その浮力により前記基台から離れて前記捕捉体と共に流水上に浮き、かくして、前記捕捉体が前記谷の両側部間に張り渡され、もって、洪水時に前記谷に自然に流木止めが設置される。従って、流木止めの構築に際しては、樹木の伐採や山の切り崩しを行なう必要はほとんどなく、しかも、流木止めの構築後は、捕捉体と基台上の浮体が現われるだけなので、自然破壊や景観を損ねる恐れは極めて少なく、更に、流木止めを目的とした副ダムを構築する場合に比べて工費が格段に安価に済む等、有用な効果がもたらされる。
【図面の簡単な説明】
【図１】常時における谷に構築した、この発明の流木止めを示す概略平面図である。
【図２】常時における谷に構築した、この発明の流木止めを示す概略正面図である。
【図３】洪水時における谷に構築した、この発明の流木止めを示す概略平面図である。
【図４】洪水時における谷に構築した、この発明の流木止めを示す概略正面図である。
【図５】基台上に収容された浮体を示す概略斜視図である。
【図６】不透過型鋼製砂防ダムを示す概略斜視図である。
【符号の説明】
１：鋼製枠
２：中込め材
３：水通し部
４：基台
４Ａ：凹陥部
５：谷
６：底部
７：捕捉体
８：アンカー
９：浮体
９Ａ：挿通孔
【図１】
0004180213.tif 000002
【図２】
0004180213.tif 000003
【図３】
0004180213.tif 000004
【図４】
0004180213.tif 000005
【図５】
0004180213.tif 000006
【図６】
0004180213.tif 000007